(57)【要約】【課題】２本の電線コードに関して、絡まりにくくする構造を提供することを課題とする。【解決手段】電線コード締結構造として、２組の、電線の外周を被覆してなる電線コードと、一の電線コードに沿って固定される線状に形成される係合部と、他の電線コードに沿って固定される線状に形成される前記係合部と係合する被係合部と、前記両電線コードの一端側から他端側に移動することで前記係合部と被係合部とを順次係合させ、かつ、前記両電線コードの他端側から一端側に移動することで係合した前記係合部と被係合部とを順次分離させる、前記両電線コード沿って移動可能に固定されるスライド手段とを設ける。【選択図】  図１
2008171704.tif 000002
【特許請求の範囲】
【請求項１】
２組の、電線の外周を被覆してなる電線コードと、
一の前記電線コードに沿って固定される線状に形成される係合部と、
他の前記電線コードに沿って固定される線状に形成される前記係合部と係合する被係合部と、
前記両電線コードの一端側から他端側に移動することで前記係合部と被係合部とを順次係合させ、かつ、前記両電線コードの他端側から一端側に移動することで係合した前記係合部と被係合部とを順次分離させる、前記両電線コードに沿って移動可能に固定されるスライド手段と
を有する電線コード締結構造。
【請求項２】
前記係合部は、線状の凹部から形状され、
前記被係合部は、線状の前記凹部に嵌合する線状の凸部から形成され、
前記スライド手段は、前記係合部が設けられた一の電線コードと前記被係合部が設けられた他の電線コードとを、前記スライド手段が摺動できるように嵌入する溝が形成され、当該溝は、前記係合部と前記被係合部とが係合した状態で両電線コードを嵌入する合流部と、合流部から二股に分岐する各電線コードを嵌入する分岐部とを有するものである
請求項１に記載の電線コード締結構造。
【請求項３】
前記係合部と前記被係合部は、互いに係合するファスナーエレメント列により形成され、
前記スライド手段は、前記各ファスナーエレメント列のファスナーエレメント同士を係脱させるスライダーにより形成される
請求項１に記載の電線コード締結構造。
【請求項４】
前記電線コードには、被覆の側方に張り出すファスナーテープが前記被覆に一体に形成されるものであって、
前記ファスナーエレメント列は前記ファスナーテープに固定される
請求項３に記載の電線コード締結構造。
【請求項５】
ドライバーユニットが前記２組の電線コードのそれぞれの前記他端側に接続される、請求項１から４のいずれか１項に記載の電線コード締結構造を有するヘッドホン。
【発明の詳細な説明】
【技術分野】
【０００１】
本発明は２本を一組とする電線コード同士を締結する構造に関し、特に、ステレオ用ヘッドホンの収納に好適な電線コードの締結構造に関する。
【背景技術】
【０００２】
従来、ステレオ用のインナーイヤー型のヘッドホンや耳掛け式のヘッドホンは左右の音声を発するドライバユニットにつながる電線コードが二股に分かれる構造を有するので、これを、鞄やポケットに収納して持ち運ぶと、絡まりやすい。このように絡まることを防止するためには専用のリールに巻き取るなどの方法が採られる
【発明の開示】
【発明が解決しようとする課題】
【０００３】
しかし、専用のリールはかさばり、また、巻き取る作業も手間である。同様に、２本の電線コードを並列で使うような場合には、絡まりやすいという問題が常に生じる。
本発明は、このような事情に鑑みて、２本の電線コードに関して、絡まりにくくする構造を提供することを課題とする。
【課題を解決するための手段】
【０００４】
上記課題を解決するために、本発明は次のような構成を有する。
請求項１に記載の発明は、２組の、電線の外周を被覆してなる電線コードと、一の電線コードに沿って固定される線状に形成される係合部と、他の電線コードに沿って固定される線状に形成される前記係合部と係合する被係合部と、前記両電線コードの一端側から他端側に移動することで前記係合部と被係合部とを順次係合させ、かつ、前記両電線コードの他端側から一端側に移動することで係合した前記係合部と被係合部とを順次分離させる、前記両電線コード沿って移動可能に固定されるスライド手段とを有する電線コード締結構造である。
請求項２に記載の発明は、前記電線コードの締結構造において前記係合部は、線状の凹部から形状され、前記被係合部は、線状の前記凹部に嵌合する線状の凸部から形成され、  前記スライド手段は、前記係合部が設けられた一の電線コードと前記被係合部が設けられた他の電線コードとを、前記スライド手段が摺動できるように嵌入する溝が形成され、当該溝は、前記係合部と前記被係合部とが係合した状態で両電線コードを嵌入する合流部と、合流部から二股に分岐する各電線コードを嵌入する分岐部とを有するものである。なお、溝は上面が閉じられるものが含まれる。
請求項３に記載の発明は、請求項１に記載の電線コード締結構造において、前記係合部と前記被係合部とは、互いに係合するファスナーエレメント列により形成され、前記スライド手段は、前記各ファスナーエレメント列のファスナーエレメント同士を係脱させるスライダーにより形成されるものである。
請求項４に記載の発明は、請求項３に記載の電線コード締結構造において、前記電線コードには、被覆の側方に張り出すファスナーテープが前記被覆に一体に形成されるものであって、前記ファスナーエレメント列は前記ファスナーテープに固定されるものである。
請求項５に記載の発明は、ドライバユニットが前記２組の電線コードのそれぞれの前記他端に接続される、前記電線コード締結構造を有するヘッドホンである。なお、本願におけるヘッドホンは、左右のドライバユニットに電線コードが二股になって接続される形態をとるものであればよく、インナーイヤー型や耳掛け式など種々の形態のものが含まれる。
【発明の効果】
【０００５】
請求項１に記載の発明は、スライド手段を移動させることで各電線コードのそれぞれに固定される係合部及び被係合部同士を係合させて、２組の電線コードを一本にまとめることができ、また、必要に応じて任意の長さで二股の状態にすることができる。これにより、収納して運搬する際には一本にまとめることで絡まりにくくすることができ、また、二股で使用する際にも、適度な長さに二股の電線コード部分の長さを調整することで、一本にまとまった部分を絡みにくくすることができる。
請求項２に記載の発明は、係合部を線状の凹部とし、被係合部を線状の凸部とし、スライド手段を、これらが設けられた電線コードが嵌入する分岐した溝を有するものとすることで、構造を簡易にでき、また、全体を細くまとめることができる。
請求項３に記載の発明は、係合部および被係合部をファスナーエレメント列とし、スライド手段をファスナーのスライダーとすることで連結を強固にすることができる。
請求項４に記載の発明は、ファスナーエレメント列が固定されるファスナーテープを電線コード外周の被覆に一体に形成することで、構造を簡易にでき、製造を容易にすることができる。
請求項５に記載の発明は、上述の電線コード構造をヘッドホンのドライバユニット部に設けることで、ヘッドホンを収納する際には、一本にまとめることで鞄などに入れても絡みにくくなり、また、各ドライバユニットへつながる二股の電線コード部分を使用しやすい長さに調整することができる。
【発明を実施するための最良の形態】
【０００６】
以下、本発明の実施の形態について、図面を参照しながら説明する。
（実施形態１）
図１に本実施形態に係るヘッドホンSの正面図を示し、図２に図１の拡大Ａ−Ａ断面図を示す。ヘッドホンSは、２本の電線コード１０、１０、係合部６０Ａ、被係合部６０Ｂ、スライダー７０、ドライバユニット部４０、４０、コネクタ５０とから構成される。
電線コード１０は、銅線の外周に合成樹脂の被膜が形成されたものである。係合部６０Ａは、弾性を有しながらフレキシブルに曲がることができる合成樹脂により線状に形成され、側面に沿って、図２に示すような内部が脹らんだ断面形状を有する線状の凹部６０Ａａが形成されている。被係合部６０Ｂも、弾性を有しながらフレキシブルに曲がることができる合成樹脂により線状に形成され、側面に沿って、図２に示すような先端が脹らんだ断面形状を有する線状の凸部６０Ｂａが形成されている。図２に示すように係合部６０Ａの凹部６０Ａａに被係合部６０Ｂの凸部６０Ｂａは係合することができる。両者の素材は弾性を有するので、凹部６０Ａａと凸部６０Ｂａとを相対するようにあわせて両側から押圧すると両者を係合させることができ、また、両側に引き離す力を加えると両者を分離させることができる。係合部６０Ａは一方の電線コード１０の被覆に一体に固定され、被係合部６０Ｂは他方の電線コード１０の被覆に一体に固定されている。
【０００７】
スライダー７０は、合成樹脂で形成される、略直方体状のもので、係合部６０Ａが固定される電線コード１０、被係合部６０Ｂが固定される電線コード１０が嵌入できる溝が設けられ、これによりスライダー７０は電線コード１０に沿って摺動する。溝は、Ｙ字状に二股に形成され、分岐部７０ａと合流部７０ｂとを有する。二股に分かれた分岐部７０ａの一方には係合部６０Ａが固定される電線コード１０が嵌入し、分岐部７０ａの他方には被係合部６０Ｂが固定される電線コード１０が嵌入する。合流部７０ｂは図２に示すように係合部６０Ａと被係合部６０Ｂが係合した状態で両電線コード１０とこれらの係合した係合部６０Ａと被係合部６０Ｂが嵌入する。また、分岐部７０ａは後述するドライバユニット部４０、４０が設けられる側を向き、合流部７０ｂは後述するコネクタ５０が設けられる側を向いている。
このような構造によって、スライダー７０をドライバユニット部４０、４０側に移動させるとスライダー７０が通過した箇所において係合部６０Ａ、６０Ｂは互いに係合し、スライダー７０をドライバユニット部４０近傍まで近づけると、図３に示すように電線コード１０同士は締結して、ほぼ一本となる。逆に、スライダー７０をコネクタ５０側に移動させると、スライダー７０が通過した箇所において係合部６０Ａ、６０Ｂは分岐部７０ａを通って互いに分離させられることとなる。このようにスライダー７０は両電線コード１０、１０の一端側から他端側に移動することで係合部６０Ａと被係合部６０Ｂとのを順次係合させ、かつ、両電線コード１０，１０の他端側から一端側に移動することで係合した係合部６０Ａと被係合部６０Ｂとを順次分離させるスライド手段を構成するものであり、電線コード１０、１０、係合部６０Ａ、被係合部６０Ｂ、スライダー７０により電線コード同士を係脱させる電線コード締結構造が形成される。
ドライバユニット部４０、４０は、外耳道口に挿入して固定する大きさを有するケーシング内に電気的に音声は発するドライバユニットを内蔵したものであり、電線コード１０、１０内の銅線のそれぞれの先端にドライバユニット部が電気的に接続され、電線コード１０、１０の被覆に外部のケーシングも固定されている。コネクタ５０はいわゆるステレオミニプラグであり、電線コード１０の基端に電気的に接続され固定されている。
【０００８】
次に、以上のような構成を有するヘッドホンＳの使用方法について説明する。まず、使用に際しては、図１のようにスライダー７０を適当な位置に移動させてドライバユニット部４０、４０に連結される電線コード１０、１０を先端側で分離させて二股状にする。この状態で、コネクタ５０を携帯オーディオ機器などのイヤホンジャックに挿し込みドライバユニット部４０、４０を左右に外耳道口に挿入して使用する。
そして、収納運搬時には、図３に示すようにスライダー３０をドライバユニット部４０、４０近傍に移動させることで電線コード１０、１０を一本にまとめる。この状態でそのまま、鞄やポケットに収納しても、一本にまとまっている上に、係合部６０Ａ、被係合部６０Ｂの弾性により絡まりにくい。また、これを何かに巻きつける際にも、一本の紐状体を巻きつけるだけでよいので巻きつけるものには特別な構成を必要としないので、どのようなものにも絡まることなく巻きつけることができる。
【０００９】
（実施形態２）
図４に本実施形態に係るヘッドホンＸの正面図を示す。ヘッドホンＸは、２本の電線コード１０、１０、ファスナーエレメント２０、スライダー３０、ドライバユニット部４０、４０、コネクタ５０とから構成される。ドライバユニット部４０、４０は、コネクタ５０は実施形態１に係るものと同様であり、電線コード１０、１０の端部に設けられる。
電線コード１０は、銅線の外周に合成樹脂の被膜が形成されたものであり、皮膜の一部が側方に長い帯状に張り出してファスナーテープ１１を形成している。ファスナーエレメント２０はスライドファスナーを構成するいわゆる務歯であり、それぞれの電線コード１０、１０のファスナーテープに所定間隔で固定されることによりファスナーエレメント列２０Ａを形成している。各電線コード１０に固定されるファスナーエレメント列２０Ａは一つのファスナーエレメント分だけ互いにずれるように設けられることで、互いに係合した時に先端位置が揃うようになっている。
スライダー３０は、それぞれのファスナーエレメント列２０Ａ、２０Ａを係脱させるものであり、スライダー３０をドライバユニット部４０、４０側に移動させるとファスナーエレメント２０同士が係合し、スライダー３０をコネクタ５０側に移動させるとファスナーエレメント２０同士の係合が解かれるようになっている。即ち、スライダー３０をドライバユニット部４０、４０近傍に移動させると図５に示すように電線コード１０同士を締結して一本にすることでき、スライダー３０をコネクタ５０側に移動させると電線コード１０を二股にすることができる。このように、スライダー３０は両電線コード１０、１０の一端側から他端側に移動することで係合部と被係合部を構成するファスナーエレメント列同士を順次係合させ、かつ、両電線コード１０，１０の他端側から一端側に移動することで係合したファスナーエレメント同士とを順次分離させるスライド手段を構成するものであり、電線コード１０、１０、ファスナーエレメント列２０Ａ、２０Ａ、スライダー３０により電線コード同士を係脱させる電線コード締結構造が形成される。
【００１０】
次に、以上のような構成を有するヘッドホンＸの使用方法について説明する。まず、使用に際しては、図４のようにスライダー３０を適当な位置に移動させてドライバユニット部４０、４０に連結される電線コード１０、１０を分離させて二股状にする。この状態で、コネクタ５０を携帯オーディオ機器などのイヤホンジャックに挿し込みドライバユニット部４０、４０を左右に外耳道口に挿入して使用する。
そして、収納運搬時には、図５に示すようにスライダー３０をドライバユニット部４０、４０近傍に移動させることで電線コード１０、１０を一本にまとめる。この状態でそのまま、鞄やポケットに収納しても、一本にまとまっている上に、ファスナーエレメント列の剛性により絡まりにくい。また、これを何かに巻きつける際にも、一本の紐状体を巻きつけるだけでよいので巻きつけるものには特別な構成を必要としないので、どのようなものにも絡まることなく巻きつけることができる。
【００１１】
なお、ここでは、電線コード１０をコネクタ５０近傍まで分離できるようにしているが、コネクタ５０から一定長さまでは電線コード１０を一体にし、その先を分離係合できるようにしてもよい。  
【図面の簡単な説明】
【００１２】
【図１】実施形態１に係るヘッドホンの正面図である。
【図２】図１のＡ−Ａ断面図である。
【図３】実施形態１に係る電線コードをまとめた状態のヘッドホンの正面図である。
【図４】実施形態２に係るヘッドホンの正面図である。
【図５】実施形態２に係る電線コードをまとめた状態のヘッドホンの正面図である。
【符号の説明】
【００１３】
Ｓ、Ｘ  ヘッドホン
１０  電線コード
１１  ファスナーテープ
２０  ファスナーエレメント
２０Ａ  ファスナーエレメント列
３０、７０  スライダー
４０  ドライバユニット部
５０  コネクタ
６０Ａ  係合部
６０Ａａ  凹部
６０Ｂ  被係合部
６０Ｂａ  凸部
７０ａ  分岐部
７０ｂ  合流部
【図１】
2008171704.tif 000003
【図２】
2008171704.tif 000004
【図３】
2008171704.tif 000005
【図４】
2008171704.tif 000006
【図５】
2008171704.tif 000007